(57)【要約】【課題】  本発明は、印刷する前に印刷媒体のウェブの一貫性を向上するために前記ウェブに目標加熱を適用するシステム及び方法を提供する。【解決手段】  システムは、ヒータ、センサ、及び制御部を有する。ヒータは、ウェブが連帳型プリンタを通って移動する前に、印刷媒体のウェブに目標加熱を適用できる。センサは、ウェブの少なくとも１つの領域内の張力レベルを測定できる。制御部は、張力レベルに基づき、少なくとも１つの領域に加熱レベルを適用するようヒータに指示できる。【選択図】  図４
2015091652.tif 000002
【特許請求の範囲】
【請求項１】
印刷媒体のウェブが連帳型プリンタを通って移動する前に、前記ウェブに目標加熱を適用するよう構成されるヒータと、
前記ウェブの少なくとも１つの領域内の張力レベルを測定するよう構成されるセンサと、
前記張力レベルに基づき前記少なくとも１つの領域に加熱レベルを適用するよう前記ヒータに指示するよう構成される制御部と、
を有する装置。
【請求項２】
前記制御部は、前記ウェブ内の前記張力レベルが一様であるとき、加熱特性を維持するよう構成され、
前記制御部は、前記ウェブ内の前記張力レベルが一様でないとき、前記加熱特性を調整するよう更に構成される、
請求項１に記載の装置。
【請求項３】
前記少なくとも１つの領域に適用される前記加熱レベルは、前記少なくとも１つの領域内の前記張力レベルに反比例する、
請求項１に記載の装置。
【請求項４】
前記ヒータは、放射赤外線ランプのアレイを有する、
請求項１に記載の装置。
【請求項５】
前記ヒータは、１又は複数の伝熱ローラを有する、
請求項１に記載の装置。
【請求項６】
前記センサは、前記ウェブの少なくとも１つの領域内の垂直方向の変位に基づき、前記少なくとも１つの領域内の前記張力レベルを測定するよう構成される、
請求項１に記載の装置。
【請求項７】
前記センサは、前記ウェブの少なくとも１つの領域内の力の測定に基づき、前記少なくとも１つの領域内の前記張力レベルを測定するよう構成される、
請求項１に記載の装置。
【請求項８】
前記センサは、前記ウェブの端の測定に少なくとも部分的に基づき、前記少なくとも１つの領域内の前記張力レベルを測定するよう構成される、
請求項１に記載の装置。
【請求項９】
印刷システムが、
連帳型プリンタの印刷媒体のウェブの領域内の張力レベルを測定するステップと、
前記ウェブが前記連帳型プリンタを通って移動する前に、前記張力レベルに基づき前記領域に加熱レベルを適用するようヒータに指示するステップと、
を有する方法。
【請求項１０】
前記印刷システムが、
前記ウェブ内の前記張力レベルが一様であるとき、加熱特性を維持するステップと、
前記ウェブ内の前記張力レベルが一様でないとき、前記加熱特性を調整するステップと、
を更に有する請求項９に記載の方法。
【請求項１１】
前記領域に適用される前記加熱レベルは、前記領域内の測定された張力レベルに反比例する、
請求項９に記載の方法。
【請求項１２】
前記ヒータは、放射赤外線ランプのアレイを有する、
請求項９に記載の方法。
【請求項１３】
前記ヒータは、１又は複数の伝熱ローラを有する、
請求項９に記載の方法。
【請求項１４】
プロセッサにより実行されると方法を実行するよう動作するプログラム命令を具現化する非一時的コンピュータ可読媒体であって、前記方法は、
連帳型プリンタの印刷媒体のウェブの領域内の張力レベルを測定するステップと、
前記ウェブが前記連帳型プリンタを通って移動する前に、前記張力レベルに基づき前記領域に加熱レベルを適用するようヒータに指示するステップと、
を有する、媒体。
【請求項１５】
前記ウェブ内の前記張力レベルが一様であるとき、加熱特性を維持するステップと、
前記ウェブ内の前記張力レベルが一様でないとき、前記加熱特性を調整するステップと、
を更に有する、請求項１４に記載の媒体。
【請求項１６】
前記領域に適用される前記加熱レベルは、前記測定された張力レベルに反比例する、
請求項１４に記載の媒体。
【請求項１７】
前記ヒータは、放射赤外線ランプのアレイを有する、
請求項１４に記載の媒体。
【請求項１８】
前記ヒータは、１又は複数の伝熱ローラを有する、
請求項１４に記載の媒体。
【発明の詳細な説明】
【技術分野】
【０００１】
本発明は、連帳型印刷システムの分野に関する。
【背景技術】
【０００２】
大量の印刷需要を有するエンティティは、通常、プロダクションプリンタを使用する。プロダクションプリンタは、大量印刷（例えば、１００ページ毎分以上）のために用いられる高速プリンタである。プロダクションプリンタは、大型ロールに格納される印刷媒体のウェブに印刷する連帳型プリンタを含む。
【０００３】
プロダクションプリンタは、通常、印刷システムの全体動作を制御するローカルな印刷制御部と、印刷エンジン（「画像エンジン」又は「マーキングエンジン」とも呼ばれる）とを有する。印刷エンジンは、１又は複数のプリントヘッドアセンブリを有する。各アセンブリは、プリントヘッド制御部とプリントヘッド（又はプリントヘッドアレイ）とを有する。個々のプリントヘッドは、プリントヘッド制御部により制御されるときインクを放出するよう動作する複数の小さなノズルを有する。プリントヘッドアレイは、印刷媒体のウェブの幅に渡って連続して間隔を空けて配された複数のプリントヘッドから形成される。
【０００４】
プリンタが印刷している間、ウェブは、ピクセルを形成するために間隔を開けてウェブにインクを放出するノズルの下を高速に通過する。ウェブが常にノズルの下に位置付けられるように、ウェブの移動方向に対して横方向にウェブを揃えるために、ステアリングシステムを用いることができる。しかしながら、ステアリングシステムが適所にあるときでも、ウェブの物理的特性の小さな変動（例えば、むらのある端の長さ、横方向の張力変化、湾曲、等）は、ウェブをずらし、印刷品質を大幅に低下させてしまう。例えば、混合色ピクセルを形成するために複数のプリントヘッドがプリンタにより用いられるとき、ウェブ位置の小さな変動は、あるプリントヘッドに正しい物理位置にマークさせ得るが、一方で別のプリントヘッドは誤った物理位置にマークしてしまう。これは、印刷されたジョブ内のピクセルの最終的な色を歪ませる。
【発明の概要】
【発明が解決しようとする課題】
【０００５】
本発明は、印刷する前に印刷媒体のウェブの一貫性を向上するために前記ウェブに目標加熱を適用するシステム及び方法を提供する。
【課題を解決するための手段】
【０００６】
本願明細書に記載の実施形態は、印刷する前に印刷媒体のウェブの一貫性を向上するために前記ウェブに目標加熱を適用する。ウェブの幾つかの領域は、ウェブの製造又は輸送中に引き伸ばされ又は歪められ得る。これらの変形は、ウェブの他の影響を受けない領域と比べて、ウェブ内で低い張力レベルに関連する場合が多い。印刷するとき、ウェブの平面内の張力レベルの対照的変化は、ウェブがプリントヘッドノズルの下を通過するとき、ウェブの予期しないシフトを生じ、それにより印刷品質を低下させてしまう。しかしながら、制御された熱源は、ウェブを縮小させ、局所的領域内の張力を増大できる。印刷品質の向上のために、ウェブ内の低張力領域を識別し及び修正することにより、プリントヘッドノズルの下を通過する前に、ウェブの一貫性が向上できる。
【０００７】
一実施形態は、ヒータ、センサ、及び制御部を有するシステムである。ヒータは、ウェブが連帳型プリンタを通って移動する前に、印刷媒体のウェブに目標加熱を適用できる。センサは、ウェブの１又は複数の領域内の張力レベルを測定できる。制御部は、張力レベルに基づき、１又は複数の領域に加熱レベルを適用するようヒータに指示できる。
【０００８】
別の実施形態は方法である。方法は、連帳型プリンタの印刷媒体のウェブの領域内の張力レベルを測定するステップを有する。方法は、ウェブが連帳型プリンタを通って移動する前に、張力レベルに基づき領域に加熱レベルを適用するよう、ヒータに指示するステップを有する。一実施形態では、領域に適用される加熱は、領域内の測定された張力レベルに反比例する。
【０００９】
他の例示的な実施形態（例えば、前述の実施形態に関連する方法及びコンピュータ可読媒体）は、以下に記載される。
【図面の簡単な説明】
【００１０】
以下に本発明の幾つかの実施形態を、単に例として、添付の図面を参照して説明する。全図を通じて、同じ参照符号は同じ要素又は同種の要素を表す。
【図１】例示的な連帳型印刷システムを示す。
【図２】ウェブの不均一な物理的特性から生じる例示的な問題を示す図である。
【図３】例示的な実施形態における、ウェブの不均一な物理的特性を修正する印刷システムを示すブロック図である。
【図４】例示的な実施形態における、ウェブの不均一な物理的特性を修正する方法を示すフローチャートである。
【図５】例示的な実施形態における、加熱目標システムのブロック図である。
【図６】例示的な実施形態における、加熱目標システムの上面図のブロック図である。
【図７】例示的な実施形態における所望の機能を実行するためのプログラム命令を実装するコンピュータ可読媒体を実行するよう動作する処理システムのブロック図である。
【発明を実施するための形態】
【００１１】
図面及び以下の説明は、本発明の特定の例示的な実施形態を示す。従って、当業者は種々のアレンジを考案できることが理解される。これらのアレンジは、本願明細書に明示的に記載又は示されないが本発明の原理を具現化し本発明の範囲に包含される。さらに、本願明細書に記載の例は、本発明の原理を理解するのを助けることを意図しており、特定の記載された例及び条件等に限定されるものではない。結果として、本発明は、以下に記載の特定の実施形態又は例に限定されず、請求の範囲及びそれらの等価物によって定められる。
【００１２】
図１は、例示的な連帳型印刷システム１００を示す。印刷システム１００は、連帳型印刷媒体（例えば、紙）のウェブ１２０にインクを適用するよう動作するプロダクションプリンタ１１０を有する。本願明細書で用いられるように、用語「インク」は、任意の適切なマーキング流体（例えば、水性インク、油性塗料、等）を参照するために用いられる。プリンタ１１０は、シアン（Ｃ）、マゼンダ（Ｍ）、イエロー（Ｙ）及びキー（Ｋ）ブラックインクのような有色インクを適用するインクジェットプリンタを有しても良い。１又は複数のローラ１３０は、ウェブ１２０が印刷システム１００を通って移動するとき、ウェブ１２０を位置付け及び引っ張る。
【００１３】
図２は、ウェブ１２０の不均一な物理的特性から生じる例示的な問題を示す図である。例えば、ウェブの平面に渡り変化する張力は、ウェブを横方向にドリフトさせ得る。本願明細書で用いられるとき、横方向のドリフトは、ウェブの平面内の且つウェブの移動方向と直交する（つまり、ウェブの縦と直交し、ウェブの幅と平行の）位置変化である。横方向のウェブの振動は、長い印刷領域及び／又は複数の色平面を有する印刷システムにおいて特に問題である。
【００１４】
この場合には、各プリントヘッド２２０は、シアン、マゼンダ、イエロー、又はキーブラックのうちの１つの色平面として動作する。図２では、基準線２１０により示されるように、各プリントヘッド２２０は、そのピアに対して同じ位置に揃えられる。プリントヘッド２２０がこのように揃えられるとき、それらは互いに対して同じ横方向の位置を全て正確にマークする。しかしながら、ウェブ１２０の不整合な物理的特性は、ウェブ１２０がプロダクションプリンタ１１０を通過するとき、プリントヘッド２２０間でウェブ１２０の位置の変動を生じる。これが生じると、要素２３０により示すように、インクは各プリントヘッド２２０によりウェブ１２０上の異なる横方向の位置にマークされる。この色の分離は、印刷品質の低下をもたらし得る。
【００１５】
不整合なウェブ特性に関連する上述の問題を解決するために、図３は、例示的な実施形態におけるウェブ１２０の不均一な物理的特性を修正する印刷システム３００を示す。印刷システム３００は、印刷媒体のウェブ１２０にマークするよう動作する任意のシステム、コンポーネント、又は装置を有する。図３から分かるように、及び以下に更に詳述するように、印刷システム３００は、ヒータ３１０、制御部３２０、及びセンサ３３０により拡張されている。ヒータ３１０、制御部３２０、及びセンサ３３０は、共同で、ウェブ１２０の目標加熱を可能にして、プロダクションプリンタ１１０内のプリントヘッド２２０によりマークされる前にウェブ１２０の不整合な物理特性が修正され及び／又は改善されるようにする。
【００１６】
センサ３３０は、ウェブ１２０の１又は複数の領域内の張力レベルを検出するよう動作する任意のシステム、コンポーネント、又は装置を有する。例えば、センサ３３０は、レーザ、空気式、光電、超音波、赤外線、光又は任意の他の適切な種類の検知装置を有しても良い。一実施形態では、センサ３３０は、移動中にウェブ１２０により加えられる力の量を検出できる物理的圧力センサを有する。代替又は追加で、センサ３３０は、移動中にウェブ１２０の垂直方向の変位量を検出するよう動作する。
【００１７】
制御部３２０は、センサ３３０から受信した張力情報に基づきヒータ３１０の加熱特性を制御するよう動作する任意のシステム、コンポーネント、又は装置を有する。異なる位置における温度レベルの特定の構成は、加熱特性を定める。例えば、制御部３２０は、より低い張力を有するウェブ１２０の領域の縮小及び張力増大を引き起こすために、これらの領域に高い加熱レベルを適用するようヒータ３１０に指示し、したがって印刷前にウェブ１２０の表面が改善されるようにしても良い。制御部３２０は、例えば、カスタム回路として、関連するプログラムメモリに格納されるプログラム命令を実行するプロセッサとして、又はそれらの特定の組み合わせで実施されても良い。
【００１８】
ヒータ３１０は、ウェブ１２０に加熱を適用するよう動作する任意のシステム、コンポーネント、又は装置を有する。ヒータ３１０は、制御部３２０から受信した入力に基づき、加熱レベル及び／又は加熱位置を調整する。ヒータ３１０は、ウェブ１２０を輻射加熱するために赤外線（ＩＲ）又は近赤外線（Near  IR：ＮＩＲ）エネルギを生成する１又は複数の輻射放射体（例えば、加熱ランプ）を有しても良い。代替又は追加で、ヒータ３１０は、ウェブに渡り横方向に加熱を変化させ得る１又は複数の伝熱性ローラを有しても良い。
【００１９】
印刷システム３００の動作の説明のための詳細は、図４に関して議論される。図４は、例示的な実施形態における、ウェブ１２０の不均一な物理的特性を修正する方法を示すフローチャートである。方法４００のステップは、図３の印刷システム３００を参照して説明される。しかし、当業者は、方法４００が他のシステムで実行されても良いことを理解するだろう。ここに説明するフローチャートのステップは、網羅的ではなく、図示しない他のステップを有しても良い。ここに説明するステップは、代替的順序で実行されても良い。
【００２０】
ステップ４０２で、１又は複数のセンサ３３０は、ウェブ１２０の１又は複数の領域内の張力レベルを測定する。一実施形態では、センサ３３０は、ヒータ３１０より下流に置かれ、目標加熱がウェブ１２０に適用された後に、張力を測定する（例えば、図３に示すようなフィードバックシステム）。追加又は代替で、１又は複数のセンサは、フィードフォワードシステムの上流に置かれ、張力は、ウェブ１２０の目標加熱の前にセンサにより測定される。センサ３３０は、不適合領域（例えば、平均より低い張力を有する領域）を識別し、領域の位置及び張力情報を制御部３２０へ伝達するよう構成される。代替の実施形態では、ウェブ１２０の領域は予め定められ（例えば、ウェブ１２０の幅は複数の領域に分割される）、各領域の張力情報は連続的に測定され制御部３２０へ伝達される。
【００２１】
ステップ４０４で、制御部３２０は、センサ３３０から受信した張力情報に基づき、ウェブ１２０の１又は複数の領域にあるレベルの熱を加えるようヒータ３１０に指示する。ヒータ３１０は、制御部３２０の指示の下で、ウェブ１２０の１又は複数の領域に目標加熱を適用する。例えば、制御部３２０は、オン／オフ状態及び／又はウェブ１２０の幅に渡り広がる輻射加熱ランプアレイの中の１又は複数の輻射加熱ランプの強度レベルを選択的に制御しても良い。ウェブ１２０の特定領域を目標加熱するために、制御部３２０は、ウェブ１２０の低張力領域に対応するランプアレイ内の位置を有するランプアレイ内のランプの電源を入れ、又はそれらのランプの強度レベルを増大しても良い。
【００２２】
ステップ４０２及び４０４は、制御部３２０がウェブ１２０の不均一性を修正するために加熱レベル及び／又は加熱位置を連続的に及び適応的に調整／再調整できるように、繰り返されても良い。ウェブ１２０がインクでマークされる前に修正され又は実質的に修正されるとき、より高品質な印刷のために印刷中のウェブ１２０のシフト及び／又はカラーピクセルの誤登録は低減／除去できる。
【００２３】
＜例；加熱目標システム＞
図５は、例示的な実施形態における、加熱目標システム５００のブロック図である。加熱目標システム５００は、１又は複数のローラ１３０により引っ張られ及び／又は図５に示すウェブ方向にヒータ３１０を通して駆動される連帳型印刷媒体のウェブ１２０を受けるヒータ３１０を有する。ヒータ３１０は、ウェブ１２０の特定の領域内でウェブ１２０を平滑化する又は縮ませるためにそれらの特定の領域へ向けて熱を方向付けることができるＩＲ放射ランプのような１又は複数のエネルギ源５５０を有する。
【００２４】
加熱目標システム５００は、制御部３２０、変位センサ５１０、及び／又は張力センサ５２０を有する。制御部３２０、変位センサ５１０、及び／又は張力センサ５２０は、共同で、ウェブ１２０の一様でない（つまり、低張力）領域を識別できる。低張力領域は、ウェブ１２０の不整合な端の長さ（つまり、湾曲）、２つのローラにより形成される水平面からのウェブ１２０の垂直方向の変位、ウェブ１２０の縦又は横方向の力の変化、又はこれらの特定の組合せにより特徴付けられ得る。一実施形態では、張力測定は、ウェブ１２０の垂直方向上方に配置される１又は複数のセンサ（例えば、変位センサ５１０）により、平行ローラ１３０間で行われても良い。代替又は追加で、１又は複数のセンサは、ウェブ１２０の片側又は両側に沿って位置付けられても良い。センサは、システムの他のコンポーネントに統合されても良い。例えば、張力センサ５２０は、ウェブ１２０がローラ５３０を通過するとき垂直方向の力測定がウェブ１２０の異なる点で行うことができるように構成されるローラ５３０の部分として統合される。
【００２５】
制御部３２０が張力、力、変位及び／又は端の長さに関するセンサからの入力を受信するとき、制御部３２０は、種々の検討に基づき、各位置に適用すべき加熱レベルを計算しても良い。これらの検討は、ウェブ１２０の材料の種類、張力測定の種類（つまり、力測定、端の長さ測定、垂直方向の変位の測定、等）、ウェブ１２０が移動する速度、関連する印刷システムの解像度、用いられる熱源の数及び種類、等を含むが、これらに限定されない。追加で、制御部３２０は、力の測定から又はウェブ１２０の端の測定から張力レベルを補間しても良い。センサがフィードフォワード構成内に存在するような幾つかの実施形態では、制御部３２０は、張力測定の間の距離と加熱の適用とウェブ１２０の速度とに基づき、適用される加熱の遅延時間を与えても良い。
【００２６】
所与の領域内の張力レベルに関する情報が受信されると、次に、制御部３２０は、ウェブ１２０に加熱を適用するか否かを決定しても良い。例えば、一実施形態では、制御部３２０は、張力レベル、張力種類、及び／又はウェブ１２０内の張力位置が印刷品質を低下させる可能性が低い又は低下させないと決定しても良い。このような場合には、制御部３２０は、（いかなる加熱も現在適用されていない場合）いかなる加熱も適用しないよう、又は現在の加熱特性を維持するよう、ヒータ３１０に指示しても良い。或いは、制御部３２０は、張力レベル、張力種類、及び／又は張力位置に基づき、ウェブ１２０の１又は複数の領域に適用されるべき最適温度レベルを決定しても良い。最適温度レベルは、プリントヘッドによりマークされる前に、ウェブ１２０内の領域の不整合を修正する最小熱量である。一実施形態では、制御部３２０は、領域内の測定した張力レベルに反比例して、その領域に適用される加熱レベルを指示する。例えば、ウェブ１２０の低張力を有する側は相対的に高い加熱レベルが適用され、ウェブ１２０の平均又は高張力を有する側は僅かな加熱が適用されるか又は全く適用されない。
【００２７】
一実施形態では、制御部３２０は、ウェブ１２０が移動するときエネルギ源５５０が放射熱をウェブ１２０の一様でない領域に適用するレートを管理する。別の実施形態では、制御部３２０は、一様でない領域を加熱するために、ウェブ１２０に対して（例えば、縦方向及び／又は横方向に）エネルギ源５５０を制御可能に位置付ける。代替又は追加で、制御部３２０は、ウェブ１２０が加熱されたローラ５４０を通過するとき、ウェブ１２０の幅に渡り種々の加熱レベルを適用する加熱されたローラの加熱特性を管理する。
【００２８】
図６は、例示的な実施形態における、加熱目標システム５００の上面図のブロック図である。図６から分かるように、変位センサ５１０、張力センサ５２０、ローラ１３０、加熱されたローラ５４０、及びエネルギ源５５０は、通常、ウェブ１２０の全幅に渡り横方向に配置される。しかしながら、本願明細書のコンポーネントはそのように限定されない。例えば、上述のコンポーネントの各々は、ウェブ１２０の幅の部分に渡り配置される１又は複数のセグメントを有しても良い。更に、本願明細書に記載のコンポーネントの各々は、設計上の選択事項により、ウェブ１２０の垂直方向上方に又は垂直方向下方に配置されても良い。
【００２９】
ヒータ３１０及び／又は加熱されたローラ５４０は、複数の独立した制御されるセグメントを有しても良い。図６に示すように、エネルギ源５５０は、それぞれウェブ１２０の一部に広がる３個のセグメントを有する。一実施形態では、エネルギ源５５０の各セグメントは、制御部３２０により独立に制御される。同様に、加熱されたローラ５４０は、制御部３２０により独立に制御される複数のセグメント（例えば、セグメント５４２−５４６）を有しても良い。このように、制御部３２０は、適切なセグメントからエネルギが供給されるレートを管理することにより、ウェブ１２０上の領域に目標加熱を方向付ける。これは、制御部３２０がウェブ１２０の幅に渡り一様でない温度分配を方向付けることを可能にする。エネルギ源５５０セグメント又は加熱されたローラセグメント５４２−５４６の特定の配置、位置及び数は、設計上の選択事項であり、図５−６の例示的な実施形態により限定されないことが理解される。
【００３０】
特定の要素が図５及び６の加熱目標システム５００に関して記載されたが、図５及び６で用いられた配置及び要素の種類は、不規則な物理的特性を正すようウェブ１２０を加熱するために、必要に応じて変化しても良い。例えば、それぞれ異なる数、構成、及び種類のコンポーネントが必要に応じて用いられても良い。
【００３１】
ここに開示する実施形態は、ソフトウェア、ハードウェア、ファームウェア又はそれらの種々の組み合わせの形式を取り得る。１つの特定の実施形態では、ソフトウェアは、印刷システム３００の処理装置に、本願明細書に開示の種々の動作を実行するよう指示するために用いられる。図７は、例示的な実施形態における所望の機能を実行するためのプログラム命令を実装するコンピュータ可読媒体を実行するよう動作する処理システム７００を示す。処理システム７００は、コンピュータ可読記憶媒体７１２に有形に具現化されたプログラム命令を実行することにより、上述の動作を実行するようにされる。これに関し、本発明の実施形態は、コンピュータ又は任意の他の命令実行システムによる使用のためにプログラムコードを提供するコンピュータ可読記憶媒体７１２を介してアクセス可能なコンピュータプログラムの形式を取り得る。この説明を目的として、コンピュータ可読記憶媒体７１２は、コンピュータによる使用のためにプログラムを含む又は格納できるいかなるものでも良い。
【００３２】
コンピュータ可読記憶媒体７１２は、電子、磁気、光、光磁気、赤外線、又は半導体装置であっても良い。コンピュータ可読記憶媒体７１２の例は、固体メモリ、磁気テープ、取り外し可能コンピュータディスク、RAM（random  access  memory）、ROM（read−only  memory）、固定磁気ディスク、光ディスクを含む。光ディスクの現在の例は、コンパクトディスク、CD−ROM（compact  disk−read  only  memory）、ＣＤ−Ｒ／Ｗ（compact  disk−read/write）、ＤＶＤを含む。
【００３３】
処理システム７００は、プログラムコードを格納し及び／又は実行するのに適し、システムバス７５０を通じてプログラム及びデータメモリ７０４に結合された少なくとも１つのプロセッサ７０２を有する。プログラム及びデータメモリ７０４は、プログラムコードの実際の実行中に用いられるローカルメモリ、大容量記憶装置、及び実行中にコードが大容量記憶装置から読み出される回数を低減するために少なくとも特定のプログラムコード及び／又はデータの一時的記憶を提供するキャッシュメモリを含み得る。
【００３４】
入力／出力又はＩ／Ｏ装置７０６（キーボード、ディスプレイ、ポインティングデバイス等を含むがこれらに限定されない）は、直接に又は介入するＩ／Ｏ制御部を通じて結合され得る。ネットワークアダプタインタフェース７０８は、処理システム７００を他のデータ処理システム又は記憶装置に介入する私設又は公共ネットワークを通じて結合させるために、システムに統合されても良い。モデム、ケーブルモデム、IBM  Channel  attachments、SCSI、Fiber  Channel及びEthernet(登録商標)カードは、現在利用可能な種類のネットワーク若しくはホストインタフェースアダプタのほんの少数の例である。提示装置インタフェース７１０は、印刷システム及びプロセッサ７０２により生成される提示データを提示するディスプレイのような１又は複数の提示装置に接続するために、システムに統合されても良い。
【００３５】
本願明細書は特定の実施形態を説明したが、本発明の範囲はこれらの特定の実施形態に限定されない。本発明の範囲は、以下の請求の範囲およびその等価物により定められる。
【符号の説明】
【００３６】
１００、３００  印刷システム
１１０  プロダクションプリンタ
１２０  ウェブ
１３０、５３０  ローラ
２２０  プリントヘッド
３１０  ヒータ
３２０  制御部
３３０  センサ
５１０  変位センサ
５２０  張力センサ
５５０  エネルギ源
５４０  加熱されたローラ
５４２−５４６  セグメント
７００  処理システム
７０２  プロセッサ
７０４  プログラム及びデータメモリ
７０６  Ｉ／Ｏ装置
７０８  ネットワークインタフェース
７１０  提示装置インタフェース
７１２  記憶媒体
【図１】
2015091652.tif 000003
【図２】
2015091652.tif 000004
【図３】
2015091652.tif 000005
【図４】
2015091652.tif 000006
【図５】
2015091652.tif 000007
【図６】
2015091652.tif 000008
【図７】
2015091652.tif 000009